(57)【要約】【課題】引戸用走行レール上でのスリップによる転倒事故を防止し、意匠的にも優れた、戸車が走行する複数条のレールからなる金属製のレール部材を備えた引戸用走行レールを提供すること。【解決手段】引戸用走行レール１を、戸車４ａが走行する複数条のレール１２ａからなる金属製のレール部材１２と、この複数条のレール１２ａ間に配設され、表面をレール１２ａの表面と略面一になるようにした非金属製の間隙埋め部材１３とから構成する。【選択図】図２
2008069559.tif 000002
【特許請求の範囲】
【請求項１】
引戸を、該引戸の下面に配設した戸車を介して支持する引戸用走行レールであって、戸車が走行する複数条のレールからなる金属製のレール部材と、前記複数条のレール間に配設され、表面をレールの表面と略面一になるようにした非金属製の間隙埋め部材とからなることを特徴とする引戸用走行レール。
【請求項２】
木製の間隙埋め部材を用いたことを特徴とする請求項１記載の引戸用走行レール。
【発明の詳細な説明】
【技術分野】
【０００１】
本発明は、引戸用走行レールに関し、特に、戸車が走行する複数条のレールからなる金属製のレール部材を備えた引戸用走行レールに関するものである。
【背景技術】
【０００２】
出入口に配設される引戸装置は、例えば、図４〜図５に示すように、竪枠２ａ、２ａ、上枠２ｂ、横桟２ｃ及び下枠１１からなる引戸枠部材２と、この引戸枠部材２内に移動可能に配置した引戸４とからなり、引戸４を、この引戸４の下面に配設した戸車４ａを介して支持する引戸用走行レール１０を、下枠１１に配設するようにしている。
【０００３】
この引戸用走行レール１０は、図５に示すように、通常、鋼板等の金属製の板材を曲げ加工又は金属材料を押出成形することにより製作されている。
【０００４】
ところで、近年、学校用の間仕切り等において、開口部の中間に壁部材を設けず、出入口を連ねて広い開口面積を取ることができるようにした構造のものが増加する傾向にあるが、これらのことと相俟って、戸車４ａが走行するレール１２ａを複数条の並列したレール部材１２を備えた幅の広い引戸用走行レール１０が採用されてきている。
【０００５】
そして、このような引戸用走行レール１０は、幅が広いだけでなく、レール１２ａ間に生じる段差も複数段となるため、躓きやすく転倒の原因になったり、車椅子が横断走行する際に上下に振動する原因になる。
これに対処するため、レール１２ａ間に、突条部１４を、戸車４ａの走行に支障とならないように、レール部材１２と一体に成形することが提案されている（例えば、特許文献１参照）。
しかしながら、この引戸用走行レール１０は、突条部１４がレール部材１２と一体に成形された金属製であるため、床面が濡れている場合には非常に滑りやすく、危険であった。
また、学校用の間仕切り等においては、外観を木製とした引戸枠部材２が多く採用されているため、幅の広い金属製の引戸用走行レール１０が美観を損ねるという意匠的な問題も生じていた。
【特許文献１】特開平９−２８７３５６号公報
【発明の開示】
【発明が解決しようとする課題】
【０００６】
本発明は、上記従来の引戸用走行レールの有する問題点に鑑み、引戸用走行レール上でのスリップによる転倒事故を防止し、意匠的にも優れた、戸車が走行する複数条のレールからなる金属製のレール部材を備えた引戸用走行レールを提供することを目的とする。
【課題を解決するための手段】
【０００７】
上記目的を達成するため、本発明の引戸用走行レールは、引戸を、該引戸の下面に配設した戸車を介して支持する引戸用走行レールであって、戸車が走行する複数条のレールからなる金属製のレール部材と、前記複数条のレール間に配設され、表面をレールの表面と略面一になるようにした非金属製の間隙埋め部材とからなることを特徴とする。
【０００８】
この場合において、木製の間隙埋め部材を用いることができる。
【発明の効果】
【０００９】
本発明の引戸用走行レールは、引戸を、該引戸の下面に配設した戸車を介して支持する引戸用走行レールであって、戸車が走行する複数条のレールからなる金属製のレール部材と、前記複数条のレール間に配設され、表面をレールの表面と略面一になるようにした非金属製の間隙埋め部材とからなることから、表面をレールの表面と略面一になるようにした非金属製の間隙埋め部材によって、引戸用走行レール上でのスリップによる転倒事故を防止することができ、安全な引戸用走行レールを提供することができる。
【００１０】
また、木製の間隙埋め部材を用いることにより、木製とした引戸枠部材と調和がとれた意匠的に優れた引戸用走行レールを提供することができる。
【発明を実施するための最良の形態】
【００１１】
以下、本発明の引戸用走行レールの実施の形態を、図面に基づいて説明する。
【実施例１】
【００１２】
図１〜図３に、本発明の引戸用走行レールの一実施例を示す。
この引戸用走行レール１は、従来と同様、出入口に配設される引戸装置に適用されるもので、例えば、図１に示すように、竪枠２ａ、２ａ、上枠２ｂ、横桟２ｃ及び下枠１１からなる引戸枠部材２の下枠１１に配設するようにしている。
【００１３】
そして、引戸用走行レール１は、戸車４ａが走行する複数条のレール１２ａからなる金属製のレール部材１２と、この複数条のレール１２ａ間に配設され、表面をレール１２ａの表面と略面一になるようにした非金属製の間隙埋め部材１３とから構成するようにしている。
【００１４】
ここで、引戸用走行レール１は、図２（ａ）に示すように、鋼板等の金属製の板材を曲げ加工又は金属材料を押出成形することにより製作され、２本のレール１２ａを備えたレール部材１２を、２本、下枠１１に固定するようにしているが、複数条のレール１２ａを備えるものであれば、これに限定されるものではなく、２本以上のレール１２ａを備えたレール部材１２を、１本以上、下枠１１に配設するようにしたり、１本のレール１２ａを備えたレール部材１２を、２本以上、下枠１１に配設するようにすることもできる。
【００１５】
非金属製の間隙埋め部材１３の材質は、木材、プラスチック、ゴム等の非金属材質から任意に選択することができるが、床面が濡れている場合等においても滑りにくい材料を使用するようにする。特に、硬度が高く、耐久性に優れた木材である、ゴムの木やユーカリの木を使用することができる。そして、このような木材を使用することによって、木製とした引戸枠部材２と調和がとれ、意匠的に優れた外観とすることができる。
【００１６】
間隙埋め部材１３は、表面をレール１２ａの表面と略面一、具体的には、段差が、５ｍｍ以内、好ましくは、３ｍｍ以内、より好ましくは、０．５ｍｍ以内になるようにし、さらに、必要に応じて、表面に滑り止めの凹凸模様を形成することができる。
【００１７】
また、間隙埋め部材１３は、戸車４ａの走行に支障とならないように（戸車４ａと干渉しないように）、その上面の端縁を、全長に亘って、図２（ｂ）に示すように、切欠１３ａを施したり、図２（ｃ）に示すように、面取１３ｂを施すようにすることもできる。
【００１８】
そして、間隙埋め部材１３は、複数条のレール１２ａ間に位置するように、下枠１１やレール部材１２に固定されるが、間隙埋め部材１３の固定には、接着剤やネジ等の適宜の固着手段を採用することができる。
なお、ネジで固定する場合、間隙埋め部材１３の上面に、ざぐり穴又は皿穴を設ける等して、間隙埋め部材１３の上面にネジの頭部が突出しないようにすることが好ましい。
さらに、図２（ｄ）に示すように、下枠１１やレール部材１２に位置決め用の嵌合手段１５ａ、１５ｂを設け、間隙埋め部材１３を嵌合、係止するようにすることもできる。
【００１９】
以上、本発明の引戸用走行レールについて、その実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明の引戸用走行レールは、引戸用走行レール上でのスリップによる転倒事故を防止できるとともに、意匠的にも優れていることから、学校用の間仕切り等に好適に用いることができるのほか、病院や健老施設、さらには、一般の建造物にも用いることができる。
【図面の簡単な説明】
【００２１】
【図１】本発明の引戸用走行レールを適用する引戸装置の一例を示す正面図である。
【図２】本発明の引戸用走行レールの一実施例を示し、（ａ）は、図１のＸ−Ｘ断面図、（ｂ）及び（ｃ）は、間隙埋め部材を示す側面断面図、（ｄ）は、間隙埋め部材の係止手段の説明図である。
【図３】同図１のＹ−Ｙ断面図である。
【図４】従来の引戸装置の正面図である。
【図５】従来の引戸用走行レールを示す図４のＺ−Ｚ断面図である。
【符号の説明】
【００２２】
１    引戸用走行レール
２    引戸枠部材
４    引戸
４ａ  戸車
１２  レール部材
１２ａ  レール
１３  間隙埋め部材
【図１】
2008069559.tif 000003
【図２】
2008069559.tif 000004
【図３】
2008069559.tif 000005
【図４】
2008069559.tif 000006
【図５】
2008069559.tif 000007